(57)【要約】【課題】虫ピンの頭部に押圧力を加える際に手が滑るおそれを減らすことが可能なピン押圧具の提供。【解決手段】ピン押圧具１０は、虫ピン９１の頭部９１Ｂを側方から差し入れて係合可能な係合溝１１を備える。また、ピン押圧具１０は、係合溝１１に係合された虫ピン９１の頭部９１Ｂをこの虫ピン９１の尖端９１Ａ側に向けて押圧可能な押圧部１１Ａを備える。また、ピン押圧具１０は、押圧部１１Ａから、係合溝１１に係合された虫ピン９１において径方向外方となる方向に延びだされて、人の力を押圧部１１Ａに伝達する延びだし部１０Ａを備える。【選択図】図８
2020192653.tif 000002
【特許請求の範囲】
【請求項１】
尖端を対象物に向けた状態の虫ピンの頭部に、この虫ピンを対象物に向けて押圧する押圧力を加え、もってこの虫ピンを対象物に突き刺すことを実現させるハンドツールであるピン押圧具において、
虫ピンの頭部をこの虫ピンの側方から出し入れ可能に差し入れることと、この差し入れられた虫ピンの頭部に対して係合し、もって虫ピンがその胴部の径方向外方に倒れることを抑制することとが可能とされた係合溝と、
前記係合溝に係合された虫ピンの頭部に対して、この虫ピンの尖端側に向けて前記押圧力を加えることが可能とされた押圧部と、
前記押圧部から、前記係合溝に係合された虫ピンにおいてその胴部の径方向外方となる方向に延びだされて、人の力を前記押圧部に伝達して前記押圧力とすることが可能とされた延びだし部と、
を備えている、
ピン押圧具。
【請求項２】
請求項１に記載されたピン押圧具であって、
前記延びだし部に対して一体となるように設けられて、前記係合溝に係合された虫ピンの頭部に対して係止し、もってこの虫ピンの尖端側にあるものから引き離すように前記延びだし部を動かそうとする人の力を虫ピンに伝達することを実現させる力伝達構造を備えている、
ピン押圧具。
【請求項３】
請求項１または請求項２に記載されたピン押圧具であって、
尖端および胴部が対象物の内部に刺し込まれ、この対象物の表面上に頭部が露見された状態の虫ピンに対し、この虫ピンの頭部と対象物の表面との間にさしはさむことが可能とされたさしはさみ部が、前記延びだし部に設けられ、
前記さしはさみ部には、当該さしはさみ部が対象物の表面と虫ピンの頭部との間にさしはさまれたときに、この虫ピンの頭部に対して対象物の側から係止することが可能とされた係止構造が備えられている、
ピン押圧具。
【請求項４】
請求項１ないし請求項３のうちのいずれか１項に記載されたピン押圧具であって、
尖端が対象物に刺さった状態の虫ピンの頭部に前記延びだし部を動かそうとする人の力を伝達し、もってこの虫ピンを対象物にへしこむことを可能とするへしこみ部が、前記延びだし部に設けられている、
ピン押圧具。
【請求項５】
請求項３に記載されたピン押圧具であって、
前記延びだし部は、一端から他端に向けて延びる長尺の棒形状を呈し、
前記さしはさみ部は、前記延びだし部の棒形状における前記一端に設けられ、
前記延びだし部の棒形状における前記他端には、尖端が対象物に刺さった状態の虫ピンの頭部に前記延びだし部を動かそうとする人の力を伝達し、もってこの虫ピンを対象物にへしこむことを可能とするへしこみ部が設けられている、
ピン押圧具。
【請求項６】
請求項５に記載されたピン押圧具であって、
前記延びだし部は、その棒形状の側面として、対象物の表面上を滑らせることが可能な滑走面を有した構成とされ、
前記へしこみ部は、前記延びだし部の前記他端における前記滑走面側の端縁を含んで構成され、
前記さしはさみ部は、前記延びだし部の前記一端における前記滑走面側の端縁に、前記他端から前記一端に向かう方向に突出した状態に設けられている、
ピン押圧具。
【請求項７】
請求項４ないし請求項６のうちのいずれか１項に記載されたピン押圧具であって、
前記へしこみ部は、前記延びだし部の少なくとも一部が面取りされてなる凸曲面を備えている、
ピン押圧具。
【発明の詳細な説明】
【技術分野】
【０００１】
本発明は、虫ピンを対象物に突き刺すことを実現させるハンドツールであるピン押圧具に関する。
【背景技術】
【０００２】
虫ピンとは、一端が対象物に突き刺さる尖端とされた棒状の固着具のうち、他端（本明細書においては「頭部」とも称する。）に指で押圧するための構成を持たず、かつ、その有効細長比が比較的大きいもののことをいう。一端が対象物に突き刺さる尖端とされた棒状の固着具のうち、頭部に指で押圧するための構成を持つものは、「がびょう」もしくは「押しピン」と呼ばれる。また、一端が対象物に突き刺さる尖端とされた棒状の固着具のうち、頭部に指で押圧するための構成を持たず、かつ、その有効細長比が比較的小さいものは、「釘」と呼ばれる。
【０００３】
ここで、虫ピンと釘との違いは、これらを対象物に突き刺す手法に現れる。すなわち、釘はその有効細長比が比較的小さく、撃力（瞬間的に加わる大きな力）を作用させてもほとんど変形しないものであるため、対象物に突き刺す際には、釘の頭部に撃力を作用させる手法が採用される。これに対し、虫ピンはその有効細長比が比較的大きく、撃力を作用させるとしばしば座屈もしくは座屈を起こしたかのような変形をするものであるため、対象物に突き刺す際には、虫ピンが座屈を起こさない程度の大きさの押圧力を、虫ピンの頭部に継続的に加える手法が採用される。
【０００４】
虫ピンは、主として、その頭部と尖端との間に延びる胴部に被固定物が取り付けられ、その尖端が対象物に突き刺さった状態にすることで、この対象物に被固定物を固定させる手作業に供される。例えば、虫ピンは、小孔が開けられたプラスチックまたは金属の小片（本明細書においては「シークイン」とも称する。）における小孔に胴部が挿通された状態で尖端を対象物に突き刺すことでこの対象物にシークインを固定し、もってこのシークインにより対象物を装飾する作業に供されることがある。また、虫ピンは、他の物品を係止可能な係止部を備えているシークインを対象物に固定し、もって他の物品を上記係止部に係止させて対象物に取り付ける際の下準備とする作業に供されることがある。また、虫ピンは、対象物である固形石鹸の表面に被固定物となるリボンを係止して取り付けた手芸作品であるソープバスケットを制作する際に、上記固形石鹸の表面に手作業で刺し込まれて、この表面にリボンを係止するための係止突起として使用されることがある。また、虫ピンは、被固定物となる昆虫等の乾燥標本が刺し止めにより取り付けられた状態で対象物である標本箱の底に突き刺すことで、この底に乾燥標本を固定する作業に供されることがある。
【０００５】
上述した各作業は、しばしば、いわゆるＤＩＹもしくは手作業で行うことにその意義があるとされるものである。ここで、虫ピンは、頭部に指で押圧するための構成を持たないため、手作業で虫ピンの頭部に押圧力を加えることを容易とするハンドツールについてのニーズが発生していた。
【０００６】
手作業で虫ピンの頭部に押圧力を加えることを容易とするハンドツールについては、例えば下記の特許文献１に開示されたピン押圧具が知られている。このピン押圧具においては、へらをなす本体の一端に虫ピンの頭部と一致するサイズの凹部を設け、この虫ピンの頭部が本体に対してすべるおそれを低減させる。
【先行技術文献】
【特許文献】
【０００７】
【特許文献１】実開昭６１−０２５１９８号公報
【発明の概要】
【発明が解決しようとする課題】
【０００８】
しかし、上記ピン押圧具は、握り手となる本体が、虫ピンの頭部に押圧力を加えるための操作片から立ち上がった状態に配設されるため、虫ピンの頭部に押圧力を加える際に本体を握る手が滑るおそれがあるものであった。
【０００９】
本発明は、虫ピンの頭部に押圧力を加える際に手が滑るおそれを減らすことを可能とするものである。
【課題を解決するための手段】
【００１０】
本発明における１つの特徴によると、尖端を対象物に向けた状態の虫ピンの頭部に、この虫ピンを対象物に向けて押圧する押圧力を加え、もってこの虫ピンを対象物に突き刺すことを実現させるハンドツールであるピン押圧具が提供される。このピン押圧具は、虫ピンの頭部をこの虫ピンの側方から出し入れ可能に差し入れることと、この差し入れられた虫ピンの頭部に対して係合し、もって虫ピンの胴部がその径方向外方に倒れることを抑制することとが可能とされた係合溝を備えている。また、ピン押圧具は、係合溝に係合された虫ピンの頭部に対して、この虫ピンの尖端側に向けて押圧力を加えることが可能とされた押圧部を備えている。また、ピン押圧具は、押圧部から、係合溝に係合された虫ピンにおいて径方向外方となる方向に延びだされて、人の力を押圧部に伝達して上記押圧力とすることが可能とされた延びだし部を備えている。
【００１１】
上記のピン押圧具によれば、虫ピンをその胴部が径方向外方に倒れないように係合させた状態で、この径方向外方に延びだされた延びだし部を介して押圧力を虫ピンの頭部に加え、もってこの虫ピンを対象物に突き刺すことができる。これにより、上記延びだし部における、上記押圧力を加える方向とは垂直な方向の広がりを広く確保し、もって上記押圧力を加える際に手が滑るおそれを減らすことができる。
【００１２】
上記のピン押圧具においては、延びだし部に対して一体となるように設けられて、係合溝に係合された虫ピンの頭部に対して係止し、もってこの虫ピンの尖端側にあるものから引き離すように延びだし部を動かそうとする人の力を虫ピンに伝達することを実現させる力伝達構造を備えているものが好ましい。
【００１３】
この場合、ピン押圧具は、その係合溝に上記対象物に尖端が突き刺さった状態の虫ピンの頭部を係合させ、この虫ピンの尖端側にあるものから引き離すように延びだし部を動かすことで、虫ピンにこの虫ピンを引き抜く方向の力を加えることができる。したがって、虫ピンを引き抜く用にピン押圧具を供することができる。
【００１４】
上記のピン押圧具においては、尖端および胴部が対象物の内部に刺し込まれ、この対象物の表面上に頭部が露見された状態の虫ピンに対し、この虫ピンの頭部と対象物の表面との間にさしはさむことが可能とされたさしはさみ部が、延びだし部に設けられているものが好ましい。この場合においては、さしはさみ部には、このさしはさみ部が対象物の表面と虫ピンの頭部との間にさしはさまれたときに、この虫ピンの頭部に対して対象物の側から係止することが可能とされた係止構造が備えられている。
【００１５】
この場合、ピン押圧具は、尖端および胴部が対象物の内部に刺し込まれた状態の虫ピンに対し、そのさしはさみ部を対象物の表面とこの表面上に露見される虫ピンの頭部との間にさしはさみ、この頭部を係止構造に係止させることで、虫ピンとピン押圧具の延びだし部とを連結することができる。これにより、尖端および胴部が対象物の内部に刺し込まれた状態の虫ピンを、ピン押圧具の延びだし部を動かすことで対象物から引き抜くことが可能な状態とし、もって虫ピンを引き抜く用にピン押圧具を供することができる。
【００１６】
上記のピン押圧具においては、尖端が対象物に刺さった状態の虫ピンの頭部に延びだし部を動かそうとする人の力を伝達し、もってこの虫ピンを対象物にへしこむことを可能とするへしこみ部が、延びだし部に設けられているものが好ましい。
【００１７】
この場合、尖端が対象物に突き刺さった虫ピンの頭部が対象物の表面から突出しているときに、この突出をへしこみ部によるへしこみによりなくすもしくは少なくすることができる。
【００１８】
上記のピン押圧具においては、延びだし部は、一端から他端に向けて延びる長尺の棒形状を呈するものが好ましい。この場合においては、さしはさみ部は、延びだし部の棒形状における一端に設けられる。また、延びだし部の棒形状における他端には、尖端が対象物に刺さった状態の虫ピンの頭部に延びだし部を動かそうとする人の力を伝達し、もってこの虫ピンを対象物にへしこむことを可能とするへしこみ部が設けられている。
【００１９】
この場合、尖端が対象物に突き刺さった虫ピンの頭部が対象物の表面から突出しているときに、この突出をへしこみ部によるへしこみによりなくすもしくは少なくすることができる。また、長尺の棒形状を呈する延びだし部の一端にさしはさみ部を設け、他端にへしこみ部を設ける構成によれば、ピン押圧具は、虫ピンのへしこみが可能な圧縮強度が備えられたへしこみ部を当て板に押し当てることで、このへしこみ部を支点とし、虫ピンの頭部に係止されるさしはさみ部の係止構造を作用点とし、延びだし部を力点とした第３のてこの構造とすることができる。したがって、さしはさみ部の係止構造を虫ピンの頭部に係止させてこの虫ピンを対象物から引き抜く作業において、この虫ピンを変形させるように作用する力をより小さくすることができる。
【００２０】
上記のピン押圧具においては、延びだし部は、その棒形状の側面として、対象物の表面上を滑らせることが可能な滑走面を有した構成とされているものが好ましい。この場合においては、へしこみ部は、延びだし部の他端における滑走面側の端縁を含んで構成される。また、さしはさみ部は、延びだし部の一端における滑走面側の端縁に、他端から一端に向かう方向に突出した状態に設けられている。
【００２１】
この場合、ピン押圧具は、その延びだし部を対象物の表面上にて滑らせることで、そのさしはさみ部を対象物の表面とこの表面上に露見される虫ピンの頭部との間にさしはさみ、もって虫ピンとピン押圧具の延びだし部とを連結することができる。さらに、この状態でへしこみ部を対象物に押し当てながら延びだし部の一端を持ち上げるように延びだし部を動かすことで、上記第３のてこの構造を実現することができる。すなわち、上記ピン押圧具によれば、上記第３のてこの構造を実現して虫ピンを変形させるように作用する力をより小さくする際に、この虫ピンが突き刺さった対象物を上記当て板として機能させ、もって虫ピンを変形させるように作用する力を小さくした状態でこの虫ピンを対象物から引き抜く作業の作業性を向上させることができる。
【００２２】
上記のピン押圧具においては、へしこみ部は、延びだし部の少なくとも一部が面取りされてなる凸曲面を備えているものが好ましい。
【００２３】
この場合、虫ピンを対象物にへしこむ際に、延びだし部において凸曲面を備えているへしこみ部を使用することで、この延びだし部の角が虫ピンまたはこの虫ピンの近くにある物体（具体的には例えば虫ピンが突き刺される対象物もしくはこの対象物に固定される被固定物）に押し当てられ、もってこれら虫ピンおよび上記物体が傷つけられるおそれを減らすことができる。
【発明の効果】
【００２４】
本発明のピン押圧具は、虫ピンの頭部に押圧力を加える際に手が滑るおそれを減らすことができる。
【図面の簡単な説明】
【００２５】
【図１】本発明の第１の実施形態にかかるピン押圧具１０を表した正面図である。
【図２】図１のピン押圧具１０を表した背面図である。
【図３】図１のピン押圧具１０を表した平面図である。
【図４】図１のピン押圧具１０を表した底面図である。
【図５】図１のピン押圧具１０を表した右側面図である。
【図６】図１のピン押圧具１０を表した左側面図である。
【図７】図１のピン押圧具１０により虫ピン９１を対象物９０に突き刺す方法を説明する説明図であり、虫ピン９１の頭部９１Ｂをピン押圧具１０の係合溝１１に係合させる手順を表す。
【図８】図１のピン押圧具１０により虫ピン９１を対象物９０に突き刺す方法を説明する説明図であり、ピン押圧具１０の係合溝１１に係合された虫ピン９１を対象物９０に突き刺す手順を表す。
【図９】図１のピン押圧具１０により虫ピン９１を対象物９０に突き刺す方法を説明する説明図であり、尖端９１Ａが対象物９０に刺さった状態の虫ピン９１を対象物９０にへしこむ手順を表す。
【図１０】図１のピン押圧具１０により虫ピン９１を対象物９０に突き刺す方法を説明する説明図であり、尖端９１Ａが対象物９０に刺さった状態の虫ピン９１を対象物９０にへしこむ手順を表す。
【図１１】対象物９０に刺さった虫ピン９１を図１のピン押圧具１０により引き抜く方法を説明する説明図であり、ピン押圧具１０のさしはさみ部１２を対象物９０の表面９０Ａと虫ピン９１の頭部９１Ｂとの間にさしはさむ手順を表す。
【図１２】図１１のＸＩＩ−ＸＩＩ線断面矢視図である。
【図１３】対象物９０に刺さった虫ピン９１を図１のピン押圧具１０により引き抜く方法を説明する説明図であり、ピン押圧具１０を第３のてことして虫ピン９１の頭部９１Ｂを引き出す手順を表す。
【図１４】対象物９０に刺さった虫ピン９１を図１のピン押圧具１０により引き抜く方法を説明する説明図であり、ピン押圧具１０の係合溝１１を虫ピン９１の頭部９１Ｂに係合させる手順を表す。
【図１５】対象物９０に刺さった虫ピン９１を図１のピン押圧具１０により引き抜く方法を説明する説明図であり、ピン押圧具１０の係合溝１１に係合された虫ピン９１を対象物９０から引き抜く手順を表す。
【図１６】本発明の第２の実施形態にかかるピン押圧具２０の使用状態を表した説明図である。
【発明を実施するための形態】
【００２６】
以下に、本発明を実施するための形態について、図面を用いて説明する。
【００２７】
〈第１の実施形態〉
始めに、第１の実施形態にかかるピン押圧具１０について、図１ないし図１５を用いて説明する。このピン押圧具１０は、図８に示すように、人の手９４により虫ピン９１を対象物９０（具体的には例えば石膏ボード）に突き刺すことをより容易に実現させるためのハンドツールである。本実施形態においては、ピン押圧具１０は、射出成型された熱可塑性プラスチック（具体的には例えば透明なポリカーボネート）によって、全体が一体に形成される。
【００２８】
ここで、虫ピン９１は、長尺の円柱形状を呈する胴部９１Ｃにおける一端を対象物９０に突き刺さる尖端９１Ａとし、他端である頭部９１Ｂを他の物品（例えば図１２に示すシークイン９２）に係止可能な係止突起とした構成となっている。この頭部９１Ｂは、虫ピン９１の胴部９１Ｃと中心軸と同じくし、かつ、他端側に向かって大径となる円錐台形状（図１２参照）を呈するが、この円錐台は人の手９４の指と比してサイズが小さく（図９参照）、指で押圧するための構成とは言えないものである。
【００２９】
ピン押圧具１０は、図１ないし図４に示すように、長尺に延びる略四角柱状の棒形状を呈する延びだし部１０Ａを備えている。また、ピン押圧具１０は、その延びだし部１０Ａの一端に設けられたさしはさみ部１２と、同じく他端に設けられたへしこみ部１３と、延びだし部１０Ａの略四角柱において互いに隣接される２側面（図５および図６を参照）に開口１１Ｃ、１１Ｄを有して設けられた係合溝１１とを備えている。
【００３０】
ここで、延びだし部１０Ａは、その棒形状の側面のうち開口１１Ｃ側（図１では下側）となる面が、対象物９０の表面９０Ａ上を滑らせる（図１４参照）ことが可能な滑走面１０Ｂとなるように構成されている。この滑走面１０Ｂは、延びだし部１０Ａにおける一端と他端との間に広がる平滑な面をなす。また、さしはさみ部１２は、延びだし部１０Ａの一端における滑走面１０Ｂ側（図１では下側）の端縁からこの延びだし部１０Ａの長手方向に延びるように設けられて、この延びだし部１０Ａにおける他端から一端に向かう方向（図１では左から右に向かう方向）に突出される。本実施形態においては、さしはさみ部１２は、その滑走面１０Ｂ側（図１では下側）の面が、この滑走面１０Ｂと面一とされるように突出される。
【００３１】
また、延びだし部１０Ａの略四角柱状は、図４に示すように、その滑走面１０Ｂ側から見て、係合溝１１が設けられる部分の幅１１Ｅが、さしはさみ部１２が設けられる部分の幅１２Ｂおよびへしこみ部１３が設けられる部分の幅１３Ｄのいずれよりも幅広となる形状をなす。本実施形態においては、延びだし部１０Ａにおいて係合溝１１が設けられる部分の幅１１Ｅは、延びだし部１０Ａの略四角柱状における他のどの部分よりも幅広とされる。
【００３２】
係合溝１１は、図８に仮想線で示すように、上記２側面の開口１１Ｃ、１１Ｄのうちの一方である開口１１Ｃから見た底１１Ｆの幅１１Ｇが、虫ピン９１の頭部９１Ｂにおいて大径となる側の底面の直径よりも少しだけ（具体的には例えばすきまばめのはめあいが成立する程度に）広くされている。これにより、係合溝１１は、図７および図１４に示すように、上記２側面の開口１１Ｃ、１１Ｄのうちの他方である開口１１Ｄに、虫ピン９１の頭部９１Ｂをこの虫ピン９１の側方から出し入れ可能に差し入れることが可能とされる。なお、虫ピン９１の頭部９１Ｂが係合溝１１に係合している状態において、この虫ピン９１の胴部９１Ｃおよび尖端９１Ａは、係合溝１１の上記２側面の開口１１Ｃ、１１Ｄのうち、虫ピン９１の頭部９１Ｂが差し入れられる側とは別の一方側の開口１１Ｃから突出される。
【００３３】
また、係合溝１１は、開口１１Ｃから見た底１１Ｆよりも開口１１Ｃに近い部分に、この溝の幅を、虫ピン９１の胴部９１Ｃの直径よりも少しだけ（具体的には例えばすきまばめのはめあいが成立する程度に）広い幅にまで狭める突出（図８のかかり１１Ｂを参照）を備えている。これにより、係合溝１１は、図８に示すように、差し入れられた虫ピン９１の頭部９１Ｂに対して係合し、もって虫ピン９１がその胴部９１Ｃの径方向外方に倒れることを抑制することが可能とされる。
【００３４】
係合溝１１は、図１ないし図４に示すように、延びだし部１０Ａにおいてさしはさみ部１２とへしこみ部１３とに挟まれる中間部分に、延びだし部１０Ａの長手方向（図４では左右方向）に直交して延びるように形成されている。また、係合溝１１は、図８に示すように、虫ピン９１の頭部９１Ｂが係合している状態においてその円錐台の底面と対向する側の底１１Ｆに、虫ピン９１の頭部９１Ｂにこの虫ピン９１の尖端９１Ａ側を向く押圧力を加えることが可能な押圧部１１Ａを備えている。
【００３５】
これにより、ピン押圧具１０は、尖端９１Ａを対象物９０に向けた状態の虫ピン９１の頭部９１Ｂを係合溝１１に係合させ、虫ピン９１を対象物９０に向けて押圧する押圧力を加えることで、虫ピン９１を対象物９０に突き刺すことを実現させる。この際、延びだし部１０Ａは、押圧部１１Ａから、係合溝１１に係合された虫ピン９１において径方向外方となる方向（図８では左右方向）に延びだされた状態となる。したがって、延びだし部１０Ａは、その棒形状の全体で人の手９４の力を受け止め、この力を押圧部１１Ａに伝達して上記押圧力とすることが可能である。
【００３６】
また、係合溝１１は、この係合溝１１に係合された虫ピン９１の頭部９１Ｂに対して、押圧部１１Ａとは反対となる側から係止可能なかかり１１Ｂを備えている。このかかり１１Ｂは、図１ないし図３に示すように、係合溝１１の側壁部分に、延びだし部１０Ａに対して一体とされた状態に設けられて、係合溝１１の底１１Ｆと対向する対向面１１Ｈを備えた構成とされている。これにより、かかり１１Ｂは、虫ピン９１の尖端９１Ａ側（図１では下側）にあるものから引き離すように延びだし部１０Ａを動かそうとする人の力を虫ピン９１に伝達することを実現させる力伝達構造として機能する。
【００３７】
さしはさみ部１２は、図１２に示すように、尖端９１Ａおよび胴部９１Ｃが対象物９０の内部に刺し込まれ、この対象物９０の表面９０Ａ上に頭部９１Ｂが露見された状態の虫ピン９１に対し、この虫ピン９１の頭部９１Ｂと対象物９０の表面９０Ａとの間にさしはさむことが可能なへらとされている。このさしはさみ部１２のへらは、図３および図１１に示すように、その先端が２つに割れた割り込みの構造を備える係止構造１２Ａとされている。
【００３８】
ここで、係止構造１２Ａの割り込みの幅１２Ｃは、図１１に示すように、虫ピン９１の胴部９１Ｃの直径よりも少しだけ（具体的には例えばすきまばめのはめあいが成立する程度に）広い幅とされている。これにより、さしはさみ部１２は、図１１および図１２に仮想線で示すように、このさしはさみ部１２が虫ピン９１の頭部９１Ｂと対象物９０の表面９０Ａとの間にさしはさまれたときに、この虫ピン９１の頭部９１Ｂに対して対象物９０の側から（図１２では下側から）係止することが可能とされている。
【００３９】
へしこみ部１３は、その全体が虫ピン９１のへしこみが可能な圧縮強度を備えるように構成されている。また、へしこみ部１３は、図９に示すように、延びだし部１０Ａにおける滑走面１０Ｂ側の面に凹みを有してなるソケット１３Ｂと、このソケット１３Ｂに人の手９４の指からの押圧力を作用させるための押圧面１３Ｃとを備えている。また、へしこみ部１３は、図１ないし図３に示すように、延びだし部１０Ａの棒形状における他端のうち、ソケット１３Ｂおよび押圧面１３Ｃを除いた部分の表面が、甲丸面の面取りをされた凸曲面１３Ａをなすように構成されている。言いかえると、へしこみ部１３は、延びだし部１０Ａの棒形状における一部が甲丸面の面取りをされてなる、凸曲面１３Ａを備えている。
【００４０】
ここで、ソケット１３Ｂの凹みは、虫ピン９１の頭部９１Ｂをはめ入れた状態に係合する（図９参照）ことが可能な円筒形状をなす。この円筒形状の凹みの深さは、係合溝１１における開口１１Ｃから押圧部１１Ａまでの深さよりも浅い。また、ソケット１３Ｂは、その縁部の一部が、延びだし部１０Ａの他端における滑走面１０Ｂ側の端縁となるように位置される。このため、へしこみ部１３は、延びだし部１０Ａの他端における滑走面１０Ｂ側の端縁を含んで構成されることになる。
【００４１】
また、押圧面１３Ｃは、図１ないし図３に示すように、ソケット１３Ｂに対向する位置に、延びだし部１０Ａの棒形状における他端を先細りの形状とする傾斜面として設けられている。この押圧面１３Ｃは、人の手９４の指先により押圧することが可能なサイズの平面をなす。これにより、へしこみ部１３は、図９に示すように、虫ピン９１の尖端９１Ａが対象物９０に刺さり、虫ピン９１の頭部９１Ｂがソケット１３Ｂの凹みに係合しているときに、この頭部９１Ｂに延びだし部１０Ａの他端を動かそうとする人の手９４の力を伝達し、もって虫ピン９１を対象物９０にへしこむことを可能とする。
【００４２】
続いて、上述したピン押圧具１０を使用して、人の手９４により虫ピン９１を対象物９０に突き刺す作業の例について説明する。この作業において、虫ピン９１は、その胴部９１Ｃが円板をなすシークイン９２の中央に開けられた小孔９２Ａに挿通された状態で対象物９０に突き刺される。これにより、虫ピン９１は、対象物９０にシークイン９２を固定し、もってこのシークイン９２により対象物９０を装飾する用に供される。
【００４３】
上記の作業においては、まず、図７に示すように、シークイン９２の中央に開けられた小孔９２Ａに虫ピン９１の胴部９１Ｃを挿通し、この虫ピン９１の頭部９１Ｂをピン押圧具１０の開口１１Ｄに差し入れる。このとき、ピン押圧具１０の係合溝１１は、差し入れられた虫ピン９１の頭部９１Ｂに対して係合し、もって虫ピン９１がその胴部９１Ｃの径方向外方に倒れることを抑制する。
【００４４】
ついで、図８に示すように、ピン押圧具１０の係合溝１１に係合された虫ピン９１の尖端９１Ａを対象物９０に向け、この対象物９０にピン押圧具１０および虫ピン９１を押し付ける。このとき、ピン押圧具１０は、その延びだし部１０Ａにて人の手９４の力を受け止め、この力を押圧部１１Ａに伝達して虫ピン９１を押圧することで、虫ピン９１を対象物９０に突き刺すことを実現させる。また、虫ピン９１は、シークイン９２の円板の厚さと、ピン押圧具１０における開口１１Ｃから押圧部１１Ａまでの距離の合計の分だけ、対象物９０の表面９０Ａから突出された状態となる。
【００４５】
続いて、ピン押圧具１０の持ち替えを行い、このピン押圧具１０の係合溝１１から虫ピン９１の頭部９１Ｂを外す。そして、図９に示すように、係合溝１１から外された虫ピン９１の頭部９１Ｂをソケット１３Ｂの凹みにはめ入れて係合させ、この虫ピン９１を押圧面１３Ｃの押圧によって対象物９０にへしこむ。このとき、虫ピン９１は、少なくとも、シークイン９２の円板の厚さと、ピン押圧具１０におけるソケット１３Ｂの凹みの深さの合計の分、対象物９０の表面９０Ａから突出された状態となる。
【００４６】
さらに、ピン押圧具１０のソケット１３Ｂの凹みから虫ピン９１の頭部９１Ｂを外し、このピン押圧具１０の持ち替えを行う。そして、図１０に示すように、ピン押圧具１０のへしこみ部１３における凸曲面１３Ａを虫ピン９１の頭部９１Ｂにあてがい、延びだし部１０Ａを対象物９０に向けて動かすように押し付ける。このとき、へしこみ部１３は、延びだし部１０Ａを動かそうとする人の手９４の力を虫ピン９１の頭部９１Ｂに伝達し、もってこの虫ピン９１を対象物９０にへしこむ。また、虫ピン９１は、その頭部９１Ｂをシークイン９２における小孔９２Ａの縁部に係止させ、もってこのシークイン９２を対象物９０の表面９０Ａに固定する。
【００４７】
続いて、上述した作業により対象物９０に突き刺さった虫ピン９１を、上述したピン押圧具１０を使用して、人の手９４により引き抜く作業の例について説明する。
【００４８】
上記の作業においては、まず、図１１および図１２に示すように、ピン押圧具１０の滑走面１０Ｂ（図１２参照）を対象物９０側に向けて、このピン押圧具１０を対象物９０の表面９０Ａ上で滑らせる。そして、対象物９０の表面９０Ａ上にて露見される虫ピン９１の頭部９１Ｂに、この虫ピン９１の側方（図１２では左右方向）からピン押圧具１０のさしはさみ部１２を押し付ける。
【００４９】
このとき、虫ピン９１は、図１２に示すように、その頭部９１Ｂの円錐台形状における側面にさしはさみ部１２のへらが押し当てられることで対象物９０から抜き取られる方向（図１２では上方向）に移動する。これにより、さしはさみ部１２のへらは、虫ピン９１の頭部９１Ｂと、シークイン９２および対象物９０の表面９０Ａとの間にさしはさまれた状態となる。また、さしはさみ部１２は、その係止構造１２Ａにより、虫ピン９１の頭部９１Ｂに対して対象物９０の側から（図１２では下側から）係止し、もって虫ピン９１とピン押圧具１０の延びだし部１０Ａとを連結する。
【００５０】
ついで、図１３に示すように、延びだし部１０Ａにおいてへしこみ部１３が設けられる他端における滑走面１０Ｂ側の端縁を対象物９０の表面９０Ａに押し当てながら、延びだし部１０Ａにおいてさしはさみ部１２が設けられる一端側となる部分を対象物９０から引き離す。このとき、ピン押圧具１０は、対象物９０を当て板とし、この当て板に押し当てられるへしこみ部１３を支点とし、延びだし部１０Ａを力点とし、さしはさみ部１２の係止構造１２Ａを作用点とした第３のてことして動作する。これにより、ピン押圧具１０は、虫ピン９１を対象物９０から抜き取られる方向（図１３では上方向）に移動させ、もって虫ピン９１を対象物９０の表面９０Ａから突出された状態とする。
【００５１】
続いて、ピン押圧具１０の持ち替えを行い、このピン押圧具１０の係止構造１２Ａから虫ピン９１の頭部９１Ｂを外す。そして、図１４に示すように、ピン押圧具１０の滑走面１０Ｂを対象物９０側に向けて、このピン押圧具１０を対象物９０の表面９０Ａ上で滑らせ、この表面９０Ａから突出された虫ピン９１の頭部９１Ｂとピン押圧具１０の係合溝１１とを係合させる。
【００５２】
さらに、図１５に示すように、ピン押圧具１０の延びだし部１０Ａを、虫ピン９１の尖端９１Ａ側にあるもの（図１５では対象物９０）から引き離すように動かす。このとき、係合溝１１のかかり１１Ｂは、その対向面１１Ｈが虫ピン９１の頭部９１Ｂに対象物９０の側から（図１５では下側から）当接され、もってこの頭部９１Ｂに対して係止された状態となっている。これにより、かかり１１Ｂの対向面１１Ｈは、人の手９４が延びだし部１０Ａを動かそうとする力を、虫ピン９１の頭部９１Ｂに、この虫ピン９１を引き抜く方向（図１５では上方向）の力として加える。これにより、ピン押圧具１０は、人の手９４により虫ピン９１を対象物９０から引き抜くことを実現させる。
【００５３】
上述したピン押圧具１０によれば、虫ピン９１をその胴部９１Ｃが径方向外方に倒れないように係合させた状態で、この径方向外方に延びだされた延びだし部１０Ａを介して押圧力を虫ピン９１の頭部９１Ｂに加え、もってこの虫ピン９１を対象物９０に突き刺すことができる。これにより、延びだし部１０Ａにおける、上記押圧力を加える方向とは垂直な方向の広がりを広く確保し、もって上記押圧力を加える際に手９４が滑るおそれを減らすことができる。さらに、ピン押圧具１０は、虫ピン９１を係合させる係合溝１１により、虫ピン９１の刺し込みに際してこの虫ピン９１がピン押圧具１０から外れることによる作業のロスを減らすことができる。
【００５４】
また、ピン押圧具１０によれば、対象物９０に尖端９１Ａが突き刺さった状態の虫ピン９１の頭部９１Ｂを係合溝１１に係合させ、この虫ピン９１の尖端９１Ａ側にあるものから引き離すように延びだし部１０Ａを動かすことで、虫ピン９１にこの虫ピン９１を引き抜く方向の力を加えることができる。したがって、虫ピン９１を引き抜く用にピン押圧具１０を供することができる。
【００５５】
また、ピン押圧具１０によれば、尖端９１Ａおよび胴部９１Ｃが対象物９０の内部に刺し込まれた状態の虫ピン９１に対し、さしはさみ部１２を対象物９０の表面９０Ａとこの表面９０Ａ上に露見される虫ピン９１の頭部９１Ｂとの間にさしはさみ、この頭部９１Ｂを係止構造１２Ａに係止させることで、虫ピン９１とピン押圧具１０の延びだし部１０Ａとを連結することができる。これにより、尖端９１Ａおよび胴部９１Ｃが対象物９０の内部に刺し込まれた状態の虫ピン９１を、ピン押圧具１０の延びだし部１０Ａを動かすことで対象物９０から引き抜くことが可能な状態とし、もって虫ピン９１を引き抜く用にピン押圧具１０を供することができる。
【００５６】
また、ピン押圧具１０によれば、尖端９１Ａが対象物９０に突き刺さった虫ピン９１の頭部９１Ｂが対象物９０の表面９０Ａから突出しているときに、この突出をへしこみ部１３によるへしこみによりなくすもしくは少なくすることができる。
【００５７】
また、長尺の棒形状を呈する延びだし部１０Ａの一端にさしはさみ部１２を設け、他端にへしこみ部１３を設ける構成によれば、ピン押圧具１０は、虫ピン９１のへしこみが可能な圧縮強度が備えられたへしこみ部１３を当て板（図１３では対象物９０）に押し当てることで、へしこみ部１３を支点とし、虫ピン９１の頭部９１Ｂに係止されるさしはさみ部１２の係止構造１２Ａを作用点とし、延びだし部１０Ａを力点とした第３のてこの構造とすることができる。したがって、さしはさみ部１２の係止構造１２Ａを虫ピン９１の頭部９１Ｂに係止させてこの虫ピン９１を対象物９０から引き抜く作業において、この虫ピン９１を変形させるように作用する力をより小さくすることができる。
【００５８】
また、ピン押圧具１０によれば、その延びだし部１０Ａを対象物９０の表面９０Ａ上にて滑らせることで、そのさしはさみ部１２を対象物９０の表面９０Ａとこの表面９０Ａ上に露見される虫ピン９１の頭部９１Ｂとの間にさしはさみ、もって虫ピン９１とピン押圧具１０の延びだし部１０Ａとを連結することができる。さらに、この状態でへしこみ部１３を対象物９０に押し当てながら延びだし部１０Ａの一端を持ち上げるように延びだし部１０Ａを動かすことで、上記第３のてこの構造を実現することができる。すなわち、ピン押圧具１０によれば、上記第３のてこの構造を実現して虫ピン９１を変形させるように作用する力をより小さくする際に、この虫ピン９１が突き刺さった対象物９０を上記当て板として機能させることができる。したがって、ピン押圧具１０によれば、虫ピン９１を変形させるように作用する力を小さくした状態でこの虫ピン９１を対象物９０から引き抜く作業の作業性を向上させることができる。
【００５９】
また、ピン押圧具１０によれば、虫ピン９１を対象物９０にへしこむ際に、延びだし部１０Ａにおいて凸曲面１３Ａを備えているへしこみ部１３を使用することで、この延びだし部１０Ａの角が虫ピン９１またはこの虫ピン９１の近くにある物体（具体的には例えば虫ピン９１が突き刺される対象物９０もしくはこの対象物９０に固定される被固定物であるシークイン９２）に押し当てられ、もってこれら虫ピン９１および上記物体が傷つけられるおそれを減らすことができる。
【００６０】
また、ピン押圧具１０によれば、へしこみ部１３を比較的幅が狭く先細りとなった形状とすることで、虫ピン９１を対象物９０にへしこむ際に、へしこみ部１３が虫ピン９１と一緒にこの虫ピン９１の近くにある物体を押圧してこれら虫ピン９１および上記物体が傷つけられるおそれを減らすことができる。ここで、上記物体としては、具体的には例えば虫ピン９１が突き刺される対象物９０もしくはこの対象物９０に固定される被固定物であるシークイン９２を挙げることができる。さらに、ピン押圧具１０の延びだし部１０Ａにおいて係合溝１１が設けられる部分を比較的幅広にして、この部分の強度が係合溝１１によって弱くされる影響を抑えることができる。
【００６１】
〈第２の実施形態〉
続いて、第２の実施形態にかかるピン押圧具２０の構成について、図１６を用いて説明する。第２の実施形態にかかるピン押圧具２０は、第１の実施形態にかかるピン押圧具１０を変形した実施形態である。したがって、上記第１の実施形態にかかるピン押圧具１０の各構成と共通する構成については、第１の実施形態にかかるピン押圧具１０の各構成に付した符号から、その十の位の数字を「２」に置き換えた符号を付して対応させ、その詳細な説明を省略する。
【００６２】
第２の実施形態のピン押圧具２０は、図１６に示すように、延びだし部１０Ａの一端における滑走面１０Ｂ側の端縁からこの延びだし部１０Ａの長手方向に延びるさしはさみ部１２（図１参照）の代わりに、延びだし部２０Ａの一端における滑走面２０Ｂ側の端縁からこの延びだし部２０Ａの長手方向に対して傾斜した状態に延びるさしはさみ部２２を備える。このさしはさみ部２２は、ピン押圧具２０がその滑走面２０Ｂにて対象物９０の表面９０Ａ上を滑るとき（図示せず）にこの表面９０Ａから離れる向きに延びている。これにより、ピン押圧具２０は、その滑走面２０Ｂにより対象物９０の表面９０Ａ上を滑らせることが可能とされている。
【００６３】
ここで、ピン押圧具２０を使用して対象物９０に突き刺さった虫ピン９１を引き抜く作業においては、対象物９０の表面９０Ａとこの表面９０Ａ上に露見される虫ピン９１の頭部９１Ｂとの間にさしはさみ部２２をさしはさむ際に、延びだし部２０Ａがさしはさみ部２２から傾斜して立ち上がった状態となる。この場合、対象物９０とは別の当て板９３を用意し、この当て板９３の表面９３Ａに、延びだし部２０Ａにおいてへしこみ部２３が設けられる他端における滑走面２０Ｂ側の端縁を押し当てた状態で、延びだし部２０Ａにおいてさしはさみ部２２が設けられる一端側となる部分を対象物９０から引き離す手法を採用することができる。
【００６４】
上記の手法によれば、当て板９３の表面９３Ａに押し当てられるへしこみ部２３を支点とし、延びだし部２０Ａを力点とし、さしはさみ部２２の係止構造２２Ａを作用点とした第３のてことしてピン押圧具２０を動作させることができる。したがって、さしはさみ部２２の係止構造２２Ａを虫ピン９１の頭部９１Ｂに係止させてこの虫ピン９１を対象物９０から引き抜く作業において、この虫ピン９１を変形させるように作用する力をより小さくすることができる。さらに、上記第３のてこにおいて力点となる延びだし部２０Ａを対象物９０の表面９０Ａおよび当て板９３の表面９３Ａのいずれからも離間させ、もってこの延びだし部２０Ａを人の手（図１６では図示省略）の指あるいはフック（図示せず）をかけて動かすことが可能となる。
【００６５】
本発明は、上述した第１および第２の実施形態で説明した外観、構成に限定されず、本発明の要旨を変更しない範囲で種々の変更、追加、削除が可能である。例えば、以下のような各種の形態を実施することができる。
【００６６】
（１）ピン押圧具におけるさしはさみ部が設けられる位置を、例えば延びだし部における端部以外の縁部あるいは延びだし部において滑走面とは反対側となる面など、延びだし部における任意の位置に変更することができる。
【００６７】
（２）ピン押圧具におけるへしこみ部が設けられる位置を、例えば延びだし部における端部以外の縁部あるいは延びだし部において滑走面とは反対側となる面など、延びだし部における任意の位置に変更することができる。
【００６８】
（３）ピン押圧具からかかりおよびさしはさみ部の一方あるいは両方を省略して、このピン押圧具を、専ら人の手により虫ピンを対象物に突き刺す用に供されるものとすることができる。
【００６９】
（４）ピン押圧具の延びだし部は、長尺に延びる略四角柱状の棒形状を呈するものに限定されず、係合溝に係合された虫ピンにおいてその胴部の径方向外方となる方向に延びだされる部分を有するという要件の下、任意の形状を呈するものとすることができる。この場合において、例えば対象物の表面上を滑らせることが可能な滑走面など、ピン押圧具の延びだし部に設けられる構成は、適宜変更あるいは省略することができる。ここで、ピン押圧具の延びだし部が、指で押圧するための構成を有する押しピンの頭部を模した形状を呈するものである場合は、延びだし部の係合溝に虫ピンの頭部が係合された状態のピン押圧具を１個の押しピンのように扱い、もってこの虫ピンを対象物に容易に突き刺すことができる。また、延びだし部の一部あるいは全部が面取りされた凸曲面によって構成される場合、この凸曲面をへしこみ部の凸曲面として機能させることができる。
【符号の説明】
【００７０】
１０    ピン押圧具
１０Ａ  延びだし部
１０Ｂ  滑走面
１１    係合溝
１１Ａ  押圧部
１１Ｂ  かかり（力伝達構造）
１１Ｃ  開口
１１Ｄ  開口
１１Ｅ  幅
１１Ｆ  底
１１Ｇ  幅
１１Ｈ  対向面
１２    さしはさみ部
１２Ａ  係止構造
１２Ｂ  幅
１２Ｃ  幅
１３    へしこみ部
１３Ａ  凸曲面
１３Ｂ  ソケット
１３Ｃ  押圧面
１３Ｄ  幅
２０    ピン押圧具
２０Ａ  延びだし部
２０Ｂ  滑走面
２１    係合溝
２１Ａ  押圧部
２１Ｂ  かかり（力伝達構造）
２１Ｃ  開口
２１Ｄ  開口
２２    さしはさみ部
２２Ａ  係止構造
２３    へしこみ部
２３Ａ  凸曲面
２３Ｂ  ソケット
２３Ｃ  押圧面
９０    対象物
９０Ａ  表面
９１    虫ピン
９１Ａ  尖端
９１Ｂ  頭部
９１Ｃ  胴部
９２    シークイン
９２Ａ  小孔
９３    当て板
９３Ａ  表面
９４    手
【図１】
2020192653.tif 000003
【図２】
2020192653.tif 000004
【図３】
2020192653.tif 000005
【図４】
2020192653.tif 000006
【図５】
2020192653.tif 000007
【図６】
2020192653.tif 000008
【図７】
2020192653.tif 000009
【図８】
2020192653.tif 000010
【図９】
2020192653.tif 000011
【図１０】
2020192653.tif 000012
【図１１】
2020192653.tif 000013
【図１２】
2020192653.tif 000014
【図１３】
2020192653.tif 000015
【図１４】
2020192653.tif 000016
【図１５】
2020192653.tif 000017
【図１６】
2020192653.tif 000018